(57)【特許請求の範囲】
【請求項１】
被されたカバーが開けられると開けられた痕跡を残す配電機器の封印構造において、
前記カバーはスライドされることで配電機器の筐体を構成するベースに嵌合し、
前記カバーが前記ベースに嵌合した状態を維持して封印する嵌合維持構造を備え、
前記嵌合維持構造は、前記ベースに形成された封印ねじを取り付ける封印ねじ取付部と、前記カバーがスライドして前記ベースに嵌合したときに前記封印ねじ取付部に取り付けられた封印ねじを露出させる、封印キャップに嵌まる切り欠き形状および嵌まった封印キャップと干渉する側壁を有する、前記カバーに形成された切り欠き部とを備え、前記封印ねじ取付部に螺合した封印ねじの頭部に被されて前記切り欠き部に嵌まった封印キャップが前記側壁に干渉して、前記カバーのスライドを阻止する構造である
ことを特徴とする配電機器の封印構造。
【請求項２】
前記嵌合維持構造は、前記封印ねじ取付部を形成する下穴に貫通する前記ベースの壁面に設けられた穴と、前記カバーが前記ベースに嵌合した状態で前記穴と位置が一致する前記カバーに設けられた穴とに紐状体を通して、前記カバーのスライドを阻止する構造であることを特徴とする請求項１に記載の配電機器の封印構造。
【発明の詳細な説明】
【技術分野】
【０００１】
本発明は、被されたカバーが開けられると開けられた痕跡を残す配電機器の封印構造に関するものである。
【背景技術】
【０００２】
従来、この種の配電機器の封印構造は、配電機器を購入する顧客によってその種類や形態が異なっている。現在、主として３種類の封印構造が使用されており、第１に、封印ねじの頭部に形成された溝に角形や丸形状の封印キャップを嵌合させて封印を施す封印キャップ式の封印構造がある。第２に、封印ねじの頭部に形成された貫通穴と、カバーに設けられた穴とにワイヤを通して環状にし、その結び目を鉛等で封印するワイヤ式の封印構造がある。第３に、シールを剥がすと文字が浮かび上がるシール式の封印構造がある。
【０００３】
特殊ねじである封印ねじを利用した上記の第１および第２の配電機器の封印構造としては、例えば、特許文献１の従来技術に開示された電力量計の封印構造が一般的に広く知られている。
【０００４】
この封印構造では、図１に示すような電力量計１において、カバー２とベース３とをそれらの両側において封印ねじ４で、端子カバー５とベース３とを端子カバー５の両側において封印ねじ６で、締結する。そして、封印ねじ４，６の各頭部に図示しない封印キャップを被せることで、封印が施される。または、端子カバー５に設けられた穴５ａと封印ねじ６の頭部に形成された貫通穴とに図示しないワイヤが通され、その環状結び目が鉛等で固定されることでも、封印が施される。封印は、封印キャップを壊さないと、またはワイヤを切るか鉛等を壊さないと、解けないので、被されたカバー２もしくは端子カバー５が開けられると、その痕跡が残る。
【先行技術文献】
【特許文献】
【０００５】
【特許文献１】特開２００４−２４５７０４号公報
【発明の概要】
【発明が解決しようとする課題】
【０００６】
しかしながら、上記従来の配電機器は、封印キャップ式、ワイヤ式、およびシール式のいずれの封印構造においても、封印ねじを２箇所以上で使用して、カバーや端子カバーをベースに固定している。そして、封印キャップ式の封印構造では、この封印ねじに封印キャップを被して封印を施し、ワイヤ式の封印構造では、この封印ねじにワイヤを通して封印を施している。また、シール式の封印構造では、この封印ねじで固定されたカバーや端子カバーとベースとの間にシールを貼り付けて、封印を施している。このため、従来、いずれの封印構造においても、封印ねじの締結作業に手間と時間を要した。また、特殊ねじである高価な封印ねじの使用数が多くなり、配電機器の製品コスト上昇の要因につながっていた。
【課題を解決するための手段】
【０００７】
本発明はこのような課題を解決するためになされたもので、
被されたカバーが開けられると開けられた痕跡を残す配電機器の封印構造において、
カバーはスライドされることで配電機器の筐体を構成するベースに嵌合し、
カバーがベースに嵌合した状態を維持して封印する嵌合維持構造を備え、
嵌合維持構造は、ベースに形成された封印ねじを取り付ける封印ねじ取付部と、カバーがスライドしてベースに嵌合したときに封印ねじ取付部に取り付けられた封印ねじを露出させる、封印キャップに嵌まる切り欠き形状および嵌まった封印キャップと干渉する側壁を有する、カバーに形成された切り欠き部とを備え、封印ねじ取付部に螺合した封印ねじの頭部に被されて切り欠き部に嵌まった封印キャップが側壁に干渉して、カバーのスライドを阻止する構造であることを特徴とする。
【０００８】
この構成によれば、封印は、カバーをスライドさせて配電機器のベースに嵌合させ、この嵌合状態を嵌合維持構造によって維持させることで、行われる。このため、配電機器筐体の少なくとも１箇所に嵌合維持構造を設け、カバーのスライドを単に阻止することで封印を施すことが可能になる。従って、従来の配電機器の封印構造で使用していた封印ねじを用いずにカバーをベースに固定して封印できるようになり、封印ねじの締結作業にかかっていた手間と時間を軽減して、作業性を向上することが可能になる。また、高価な封印ねじの使用数が減って部品を削減することが出来、配電機器の製品コストを抑制することが可能になる。
【００１０】
この構成によれば、封印ねじをベースに螺合させて封印ねじの頭部に封印キャップを被すことで、ベースに嵌合した状態のカバーに封印キャップが干渉して、カバーのスライドが阻止され、封印が施される。このため、封印ねじをベースに一旦取り付けると、以後、封印ねじを回すこと無く、封印ねじの頭部に封印キャップを着脱するだけで、カバーの開閉が行え、封印および封印解除をすることが出来る。従って、封印ねじをベースに一旦取り付けると以後封印ねじの締結作業が不要になり、作業性は大幅に向上する。
【００１１】
また、本発明は、嵌合維持構造が、封印ねじ取付部を形成する下穴に貫通するベースの壁面に設けられた穴と、カバーがベースに嵌合した状態で前記穴と位置が一致するカバーに設けられた穴とに紐状体を通して、カバーのスライドを阻止する構造であることを特徴とする。
【００１２】
この構成によれば、カバーをスライドしてベースに嵌合させ、カバーおよびベースにそれぞれ設けられた各穴の位置を一致させて、各穴に紐状体を通すだけで、簡単に封印が施される。
【発明の効果】
【００１３】
本発明によれば、封印ねじの締結作業にかかっていた手間と時間を軽減して、作業性を向上できると共に、高価な封印ねじの使用数を削減して、配電機器の製品コストを抑制することが可能な配電機器の封印構造が提供される。
【図面の簡単な説明】
【００１４】
【図１】従来の配電機器の封印構造が適用される電力量計の分解斜視図である。
【図２】本発明の一実施の形態による配電機器の封印構造が適用される電力量計のカバーおよびベースの斜視図である。
【図３】カバーがスライドする前後における、図２に示すベースの端子部右側部分の平面図である。
【図４】図２に示す電力量計のカバーおよびベースが封印ねじおよび封印キャップを用いて封印される態様を説明する斜視図である。
【図５】図２に示す電力量計のカバーおよびベースがワイヤおよび鉛を用いて封印される態様を説明する斜視図および部分断面図である。
【図６】一実施の形態の変形例における、カバーがスライドする前後のベースの端子部右側部分の平面図である。
【図７】一実施の形態の他の変形例における、電力量計のカバーおよびベースの斜視図である。
【発明を実施するための形態】
【００１５】
次に、本発明による配電機器の封印構造を電力量計の封印構造に適用した一実施の形態について説明する。
【００１６】
図２は本実施の形態による電力量計の封印構造に用いられる電力量計のカバー１１およびベース１２の斜視図である。
【００１７】
カバー１１およびベース１２は樹脂成型されており、配電機器である電力量計の筐体を構成する。カバー１１は、ベース１２に被されてベース１２の電線挿入口１２ｂ側へスライドされることで、カバー１１の縁１１ａがベース１２の縁１２ａに嵌合する。カバー１１とベース１２のこの嵌合構造は、電線挿入口１２ｂと逆の向きの側にカバー１１をスライドしないと、嵌合が解けない構造になっている。
【００１８】
ベース１２の端子部右側には、封印ねじ取付部１２ｃが形成されている。この封印ねじ取付部１２ｃは、セルフタップ出来る封印ねじの下穴のみがあいた構造、または、インサートナット等のナット類が埋め込まれた構造、または、封印ねじの下穴に直接雌ねじが切られた構造などによって構成される。カバー１１がベース１２に被されたとき、封印ねじ取付部１２ｃはカバー１１の切り欠き部１１ｂに露出する。封印ねじ取付部１２ｃに取り付けられた封印ねじ１３も、図３（ａ）に示すベース１２の端子部右側部分平面図のように、カバー１１の切り欠き部１１ｂに露出する。同図（ａ）は、斜線が付されて示されるカバー１１がベース１２に被されてスライドされる前の状態を示す。切り欠き部１１ｂは、カバー１１がベース１２に被されてスライドされた後の状態において、同図（ｂ）に示すように角形の封印キャップ１４が嵌まると共に、同図（ｃ）に示すように丸形の封印キャップ１５が嵌まる切り欠き形状を有している。また、切り欠き部１１ｂは、同図（ｂ）に示すように嵌まった角形の封印キャップ１４と干渉する側壁１１ｂ１、および同図（ｃ）に示すように嵌まった丸形の封印キャップ１５と干渉する側壁１１ｂ２を備えている。
【００１９】
また、カバー１１の端子部左側壁には、図２にカバー１１の点線部分を一部破断して示すように、穴１１ｄが開口している。また、ベース１２の端子部左側には、端子部左側壁面および端子部上面に開口する、断面が逆Ｌ字状をした穴１２ｄが形成されている。カバー１１がベース１２に被されてスライドされ、カバー１１とベース１２が嵌合すると、カバー１１の穴１１ｄとベース１２の穴１２ｄとは位置が一致する。なお、本実施の形態では、穴１１ｄおよび１２ｄを筐体の端子部左側に設けているが、設ける位置はこれに限られず、任意の位置に設けることが出来る。
【００２０】
本実施の形態の電力量計の封印構造は、ベース１２に螺合した封印ねじ１３の頭部に被された封印キャップ１４または１５が、ベース１２に嵌合した状態のカバー１１に干渉して、カバー１１のスライドを阻止し、カバー１１がベース１２に嵌合した状態を維持して封印する嵌合維持構造を備えている。
【００２１】
この封印構造では、まず、図４（ａ）に示すように、カバー１１を矢印の電線挿入口１２ｂ側へスライドさせてベース１２に嵌合させ、封印ねじ１３をベース１２の封印ねじ取付部１２ｃに螺合させる。そして、同図（ｂ）に示すように、封印ねじ１３の頭部に封印キャップ１４または１５を被し、カバー１１に設けられた側壁１１ｂ１または１１ｂ２に封印キャップ１４または１５が図３（ｂ）または（ｃ）に示すように干渉して、カバー１１のスライドが阻止されることで、電力量計の封印が行われる。なお、図４において図２および図３と同一部分には同一符号を付してその説明は省略する。
【００２２】
カバー１１をあけるには、キャップ１４または１５を壊して、側壁１１ｂ１または１１ｂ２と封印キャップ１４または１５との干渉を無くし、カバー１１を電線挿入口１２ｂと逆の向きの側にスライドさせて、図３（ａ）に示す位置に移動させる必要がある。従って、ベース１２に被されたカバー１１が開けられると、封印キャップ１４または１５が壊れて、カバー１１が開けられた痕跡が残る。
【００２３】
本実施の形態の電力量計の封印構造では、電力量計の筐体の少なくとも１箇所に上記の嵌合維持構造を設け、カバー１１のスライドを単に阻止することで封印を施すことが可能になる。従って、図１に示す従来の電力量計の封印構造で使用していた封印ねじ４を用いずにカバー１１をベース１２に固定して封印できるようになり、封印ねじ４の締結作業にかかっていた手間と時間を軽減して、作業性を向上することが可能になる。また、高価な封印ねじ１３の使用数が減って部品を削減することが出来、電力量計の製品コストを抑制することが可能になる。
【００２４】
また、本実施の形態の電力量計の封印構造では、封印ねじ１３をベース１２に一旦取り付けると、以後、封印ねじ１３を回すこと無く、封印ねじ１３の頭部に封印キャップ１４または１５を着脱するだけで、カバー１１の開閉が行え、封印および封印解除をすることが出来る。従って、封印ねじ１３をベース１２に一旦取り付けると以後封印ねじ１３の締結作業が不要になり、作業性は大幅に向上する。
【００２５】
また、本実施の形態の電力量計の封印構造は、カバー１１およびベース１２にそれぞれ設けられた各穴１１ｄ、１２ｄに、図５（ａ）の斜視図に示すようにワイヤ１６を紐状体として通して、カバー１１のスライドを阻止し、カバー１１がベース１２に嵌合した状態を維持して封印する嵌合維持構造も備えている。同図（ｂ）はワイヤ１６が通された部分の筐体の断面図である。なお、同図において図２と同一部分には同一符号を付してその説明は省略する。
【００２６】
この封印構造では、まず、カバー１１をスライドさせてベース１２に嵌合させることで、カバー１１およびベース１２にそれぞれ設けられた各穴１１ｄ、１２ｄの位置を一致させる。そして、各穴１１ｄ、１２ｄにワイヤ１６を通し、その環状結び目を鉛１７で固定するだけで、簡単に封印が施される。封印は、ワイヤ１６を切るか鉛１７を壊さないと、解けないので、ベース１２に被されたカバー１１が開けられると、その痕跡が残る。
【００２７】
この封印構造でも、電力量計の筐体の少なくとも１箇所に上記の嵌合維持構造を設け、カバー１１のスライドを単に阻止することで封印を施すことが可能になる。従って、この封印構造によっても、封印ねじ４の締結作業にかかっていた手間と時間を軽減して、作業性を向上することが可能になる。また、高価な封印ねじ１３の使用数が減って部品を削減することが出来、電力量計の製品コストを抑制することが可能になる。
【００２８】
なお、上記の実施の形態では、電力量計が、封印ねじ１３の頭部に封印キャップ１４または１５を被せる封印構造と、穴１１ｄ、１２ｄにワイヤ１６を通す封印構造との両者を同時に備える構成について説明した。しかし、電力量計は、いずれか一方の封印構造を備えることで、上記の実施形態と同様な作用効果が奏される。
【００２９】
また、上記の実施の形態では、カバー１１の切り欠き部１１ｂが、角形の封印キャップ１４および丸形の封印キャップ１５の双方が嵌まる図３に示す切り欠き形状を有している場合について、説明した。しかし、カバー１１が図６（ａ）に示す切り欠き形状を有する切り欠き部１１ｅを備え、同図（ｂ）に示すように角形の封印キャップ１４のみが嵌まる構成としてもよい。この構成では、切り欠き部１１ｅの側壁１１ｅ１に封印キャップ１４が干渉することで、カバー１１のスライドが阻止されて、封印が施される。また、カバー１１が同図（ｃ）に示す切り欠き形状を有する切り欠き部１１ｆを備え、同図（ｄ）に示すように丸形の封印キャップ１５のみが嵌まる構成としてもよい。この構成では、切り欠き部１１ｆの側壁１１ｆ１に封印キャップ１５が干渉することで、カバー１１のスライドが阻止されて、封印が施される。なお、図６において図３と同一または相当する部分には同一符号を付してその説明は省略する。
【００３０】
また、上記の実施の形態では、ワイヤ１６をベース１２に通す穴１２ｄを、図２および図５に示すように、ワイヤ式封印専用に設けた場合について説明した。しかし、図７に示すように、封印ねじ取付部１２ｃを封印ねじ１３の下穴とし、この下穴に側面から貫通する穴１２ｅをベース１２の端子部右側壁面に設け、端子部上面および端子部右側壁面に開口する、断面がＬ字状をした穴を形成するようにしてもよい。この穴も、カバー１１がベース１２に被されてスライドされ、カバー１１とベース１２が嵌合すると、カバー１１に設けられた穴１１ｇと位置が一致する。従って、これら各穴にワイヤ１６を通し、その環状結び目を鉛１７等で固定することで、封印を施すことが出来る。また、ワイヤ１６を使用せず、封印ねじ取付部１２ｃに封印ねじ１３を取り付け、封印ねじ１３の頭部に封印キャップ１４または１５を被せることによっても、封印を施すことが出来る。
【００３１】
また、上記の実施の形態では、カバー１１が機器本体および端子部の双方を一体で覆う構造を有する場合について、説明した。しかし、図１に示す電力量計１のように、カバー１１を、機器本体を覆うカバー２の部分と、端子部を覆う端子カバー５の部分とに分離し、分離した各部分がベース１２にスライドして嵌合する構造を備えるように構成してもよい。この構成においても、各部分の嵌合状態を上述した嵌合維持構造によって維持して封印することで、上述した実施の形態と同様な作用効果が奏される。
【産業上の利用可能性】
【００３２】
上記の実施の形態では、配電機器を電力量計とした場合について説明したが、本発明の配電機器の封印構造は電力量計に限定されることは無い。例えば、漏電遮断器や配線用遮断器、タイムスイッチ等の封印を要する他の配電機器の封印構造にも、同様に本発明を適用することが可能であり、その場合においても上記の実施の形態と同様な作用効果が奏される。
【符号の説明】
【００３３】
１１…カバー
１１ａ…カバー１１の縁
１１ｂ，１１ｅ，１１ｆ…切り欠き部
１１ｂ１，１１ｂ２…切り欠き部１１ｂの側壁
１１ｄ，１１ｇ…穴
１１ｅ１，１１ｆ１…切り欠き部１１ｅ，１１ｆの側壁
１２…ベース
１２ａ…ベース１２の縁
１２ｂ…電線挿入口
１２ｃ…封印ねじ取付部
１２ｄ，１２ｅ…穴
１３…封印ねじ
１４…角形封印キャップ
１５…丸形封印キャップ
１６…ワイヤ
１７…鉛
【図１】
0005977067.tif 000002
【図２】
0005977067.tif 000003
【図３】
0005977067.tif 000004
【図４】
0005977067.tif 000005
【図５】
0005977067.tif 000006
【図６】
0005977067.tif 000007
【図７】
0005977067.tif 000008